(57)【特許請求の範囲】
【請求項１】
吊下げフックが係止される被係止部材を着脱可能に配設するベースプレートが設けられ、
該ベースプレートは、屋根パネルの側端面部に配設される配設板部と、該配設板部に対して略直交して延設されると共に、前記被係止部材を前記屋根パネルの一側面に対して略垂直方向へ着脱可能とする取付板部とによって構成され、
前記配設板部を前記側端面部に対して着脱可能とするボルト部材が設けられ、
棟部で突き合わせられる前記二枚の屋根パネルの側縁がヒンジ部材で回動自在に連結すると共に、前記各屋根パネルの前記側端面部に、前記被係止部材と前記ベースプレートとから成る吊り具が取着され、
前記被係止部材には、環状被係止部が設けられて、
該環状被係止部は、前記屋根パネルの前記側端面部厚み範囲内に収まるように位置することを特徴とする吊り具付き屋根パネル。
【請求項２】
前記環状被係止部は、前記屋根パネルの前記側端面部厚み方向の略中央部よりも、前記ヒンジ部材非配設側縁側に位置することを特徴とする請求項１に記載の吊り具付き屋根パネル。
【請求項３】
請求項１または請求項２記載の吊り具付き屋根パネルを、前記側端面部を上位置として吊り上げると共に、建物構造体に該屋根パネルを配設する際には、該二枚の屋根パネルを拡開して一側面を上方へ向けて所定角度傾斜させる屋根パネルの施工方法であって、
該屋根パネル配設後に、前記被係止部材を、前記屋根パネル一側面に対して略垂直方向上方へ向けて、前記側端面部から取り外すことを特徴とする吊り具付き屋根パネルの施工方法。
【発明の詳細な説明】
【０００１】
【発明の属する技術分野】
この発明は、主に、住宅等のユニット建物に用いられる屋根パネルの吊り具，吊り具付き屋根パネル及び該吊り具を用いた施工方法に関するものである。
【０００２】
【従来の技術】
従来のこの種の屋根パネルの吊り具及び該吊り具を用いた屋根パネルの施工方法としては、例えば、図６乃至図８に示す実開平４−６３７１６号公報に記載されている様なものが知られている。
【０００３】
このような一従来のものでは、所定の幅及び長さに切断された二枚の屋根パネル１，１が、所定の角度を以て突き合わされて、建物構造体の切妻屋根部を構成するものである。
【０００４】
この屋根パネル１，１の長手方向側端面２，２には、各々固定プレート３ａ，３ａが固定されると共に、これらの屋根部材１，１が開閉自在となるように、蝶番部３ｂで、固定プレート３ａ，３ａが連結されるヒンジ部材３が設けられている。
【０００５】
このヒンジ部材３の固定プレート３ａ，３ａには、一対の被係止部としての釣枠体４，４が、一体に形成されている。
【０００６】
このように構成された従来のものでは、図８に示す様に、クレーン等の釣上げ装置５のワイヤ６先端に設けられた鈎状フック７を、前記釣枠体４，４内に挿通して係止させて、釣り上げる。
【０００７】
建物構造体上では、前記屋根パネル１，１が、前記ヒンジ部材３を回動中心として拡開されて、所定の突合せ角度を有する切妻屋根が構成される。
【０００８】
また、図９には、他の従来例が示されている。この図９のものでは、屋根パネル１，１の長手方向側端面２，２に、ボルト孔２ａ，２ａが形成されている。
【０００９】
そして、直接、アイボルト８，８が、これらのボルト孔２ａ，２ａへ、端面２，２に対して垂直になるように挿通されて、裏面側で、ナット９，９に螺合されて固定されている。
【００１０】
このように構成された他の従来のものでは、建物構造体上で、前記屋根パネル１，１が、前記ヒンジ部材３を回動中心として拡開されて、所定の突合せ角度を有する切妻屋根としてから、前記アイボルト８，８がナット９，９から外される。
【００１１】
【発明が解決しようとする課題】
しかしながら、前記一従来の屋根パネルの吊り具では、ヒンジ部材３の固定プレート３ａ，３ａ面に、釣枠体４，４を一体に形成しなければならないので、製造コストが増大してしまうといった問題があった。
【００１２】
また、この釣枠対４，４を引っかけて、吊り下げるために用いられる前記鈎状フック７も、特殊な形状で構成されているため、製造コストが増大してしまうといった問題があった。
【００１３】
そして、前記他の従来のものでは、アイボルト８，８等は、一般的な部品を使用できるため、コストの増大を抑制できる。しかしながら、図９に示す様に、二枚の屋根パネル１，１の棟合わせ側端面をヒンジ等で連結する施工方法では、建物構造体上で拡開させた場合に、アイボルト８，８同士が干渉するといった問題があった。
【００１４】
また、屋根パネル１，１の拡開により、建物構造体上で傾斜させられる角度が、大きくなると、アイボルト８，８の挿脱方向が、屋根パネル１の延設方向に沿って形成されているので、ボルト孔２ａから抜き出す際に、対向する側端面２に当接して抜けなくなる虞もあった。
【００１５】
そこで、この発明は、製造コストの上昇を抑制できると共に、施工作業性の良好な屋根パネルの吊り具，吊り具付き屋根パネル及び該吊り具を用いた施工方法を提供することを課題としている。
【００１６】
【課題を解決するための手段】
前記課題を解決するため本願発明の請求項１に記載されたものでは、吊下げフックが係
止される被係止部材を着脱可能に配設するベースプレートが設けられ、
該ベースプレートは、屋根パネルの側端面部に配設される配設板部と、該配設板部に対して略直交して延設されると共に、前記被係止部材を前記屋根パネルの一側面に対して略垂直方向へ着脱可能とする取付板部とによって構成され、
前記配設板部を前記側端面部に対して着脱可能とするボルト部材が設けられ、
棟部で突き合わせられる前記二枚の屋根パネルの側縁がヒンジ部材で回動自在に連結すると共に、前記各屋根パネルの前記側端面部に、前記被係止部材と前記ベースプレートとから成る吊り具が取着され、
前記被係止部材には、環状被係止部が設けられて、
該環状被係止部は、前記屋根パネルの前記側端面部厚み範囲内に収まるように位置する吊り具付き屋根パネルを特徴としている。
【００１７】
また、請求項２に記載されたものでは、前記環状被係止部は、前記屋根パネルの前記側端面部厚み方向の略中央部よりも、前記ヒンジ部材非配設側縁側に位置する請求項１に記載の吊り具付き屋根パネルを特徴としている。
【００１８】
そして、請求項１または２記載の吊り具付き屋根パネルを、前記側端面部を上位置として吊り上げると共に、建物構造体に該屋根パネルを配設する際には、該二枚の屋根パネルを拡開して一側面を上方へ向けて所定角度傾斜させる屋根パネルの施工方法であって、
該屋根パネル配設後に、前記被係止部材を、前記屋根パネル一側面に対して略垂直方向上方へ向けて、前記側端面部から取り外す吊り具付き屋根パネルの施工方法を特徴としている。
【００２１】
【作用】
このように構成された請求項１記載のものでは、吊下げフックが係止される被係止部材を着脱可能に配設するベースプレートの配設板部が、屋根パネルの側端面部に配設される。
【００２２】
該配設板部に対して略直交して延設される取付板部は、前記被係止部材が前記屋根パネル面に対して略垂直方向へ着脱可能に設けられているので、該屋根パネル面延設方向に位置する他の部材に干渉する虞なく、取り外すことが出来る。
【００２３】
また、被係止部材及び吊下げフックは、例えば、アイボルト及びクレーンフック等一般的なものを使用できると共に、ベースプレートも、例えば、金属板等から安価に形成出来る。このため、製造コストの上昇を抑制できる。
【００２４】
また、ボルト部材によって、前記配設板部が前記側端面部に対して取り付けられている前記ベースプレートを外すことが出来る。ボルト部材頭部は、アイボルト等の頭部に比して突出量が少ないので、外す際の干渉が少ない。従って更に施工作業性が良好である。
【００２５】
そして、棟部で突き合わせられる二枚の屋根パネル側縁が、ヒンジ部材で回動自在に連結されている。
【００２６】
また、該屋根パネルの側端面に取り付けられた吊り具の環状被係止部が、該側端面部厚み範囲内に収まるように位置するので、吊下げ時に、屋根パネルの重心位置が、該環状被係止部の略鉛直下方に位置して、安定させて吊下げることができる。
【００２７】
そして、これらの二枚の屋根パネルを前記ヒンジ部材を回動中心として拡開すると、建物構造体の所望の屋根部突合せ角度が得られる。この際、前記環状被係止部は、屋根パネルの側端面部厚み方向の略中央部よりも、前記ヒンジ部材非配設側縁側に位置するので、対向する屋根パネルの側端面部に干渉する虞が少ない。
【００２８】
また、請求項３記載のものでは、前記ベースプレートを介して、側端面部に被係止部材を装着した屋根パネルが、前記側端面部を上位置として吊り上げられると共に、建物構造体に該屋根パネルを配設する際には、該屋根パネルの一側面が上方へ向けて所定角度傾斜させられる。
【００２９】
該屋根パネル配設後には、前記被係止部材が、前記屋根パネル一側面に対して略垂直方向上方へ向けて、前記側端面部から取り外されるので、屋根パネル延設方向に他の部材が位置していても、前記被係止部材を取り外すことが出来る。
【００３０】
取り外された被係止部材は、再利用できるので、この点においても、コストを削減できる。
【００３１】
そして、棟部で突き合わせられる二枚の屋根パネルがヒンジ部材で回動自在に連結されている。
【００３２】
該屋根パネルの突合せ側側端面部には、被係止部材が装着されていて、該被係止部をクレーン等の吊下げフックで係止して、屋根パネルを、前記側端面部を上位置として吊り上げる。
【００３３】
この際、二枚の屋根パネルは、閉じたままである。
【００３４】
建物構造体に該屋根パネルを配設する際には、該二枚の屋根パネルが、前記ヒンジ部材を回動中心として、拡開して一側面を上方へ向けて所定角度傾斜させる。
該屋根パネル配設後に、前記被係止部材が、前記屋根パネル一側面に対して略垂直方向上方へ向けて、前記側端面部から取り外される。
【００３５】
この際、一方の屋根パネル延設方向に他方の屋根パネルの側端面部が近接して位置していても、干渉することなく、前記被係止部材が取り外される。
【００３６】
従って、二枚の屋根パネルの拡開角度は、所望の屋根部の配設角度を採用しても、施工性を良好なものとすることが出来るので、切妻屋根等の突合せ角度を有する屋根部の形状の設計自由度が増大する。
【００３７】
【発明の実施の形態１】
以下、本発明の具体的な実施の形態１について、図面を参照しつつ説明する。
【００３８】
図１乃至図５は、この発明の実施の形態１を示すものである。なお、前記従来例と同一乃至均等な部分については、同一符号を付して説明する。
【００３９】
まず、構成を説明すると、この実施の形態１の吊り具１０では、図３に示す様に、吊下げフックであるクレーンフック等が係止される被係止部材としての複数のアイナット１１…が、所定間隔をおいて金属製のベースプレート１２に着脱可能に配設されている。このアイナット１１は、図４に示す様に、環状被係止部としての環状頭部１１ａと、この環状頭部１１ａを支持する基部１１ｂ及び、この基部１１ｂ内に下面側から、取付ボルト１１ｄを螺合させる形成された雌ネジ部１１ｃとから主に構成されている。
【００４０】
このベースプレート１２は、屋根パネル１の側端面部２を構成する側端面フレーム１３に沿って配設される長尺状の配設板部１４と、この配設板部１４に対して略直交して延設されて、略同一長さを有する長尺状の取付板部１５とから主に構成されている
このうち、前記配設板部１４には、複数のボルト孔１６…が、所定間隔をおいて形成されている。このボルト孔１６には、ボルト部材１７…が各々挿通されて、前記側端面フレーム１３の裏面側に予め固着される回転止めプレート１８のナット部１８ａに螺合されることにより着脱可能となるように構成されている。
【００４１】
また、このボルト孔１６は、前記側端面プレート１３の厚み方向略中央位置に形成されている。
【００４２】
そして、前記ボルト部材１７の頭部１７ａは、アイナット１１の環状頭部１１ａよりも突設量が少なくなるように形成されている。
【００４３】
また、前記取付板部１５には、下面側から、取付ボルト部材１１ｄが挿通される複数のボルト孔１５ａ…が、所定間隔をおいて形成されている。このボルト孔１５ａには、前記アイナット１１を前記屋根パネル面１ａに対して略垂直方向へ着脱可能とするように、前記取付ボルト部材１１ｄが予め挿通されて先端のネジ部１１ｅを突設させて固着されている。
【００４４】
次に、この実施の形態１の作用について、屋根パネルの吊り具を用いた施工方法に沿って説明する。
【００４５】
まず、この実施の形態１では、図１に示す様に、吊下げられる前記屋根パネル１は、棟部で突き合わせられる他の屋根パネル１に対して、側端面部２のうち、他の屋根パネル側縁１ｂ，１ｂ間がヒンジ部材２０で回動自在に連結されている。
【００４６】
そして、これらの屋根パネル１，１の突合せ側側端面部２，２に、前記ベースプレート１２及びアイナット１１とからなる吊り具１０，１０を各々装着して、これらの屋根パネル１，１を前記側端面部２，２を上位置として吊り上げる。
【００４７】
この実施の形態１では、前記吊り具１０に設けられた環状頭部１１ａが、屋根パネル１の側端面部２厚み方向の略中央部よりも、前記ヒンジ部材２０非配設側縁側１ｃ寄りに位置すると共に、側端面部２厚み範囲内に収まるように位置する。
【００４８】
このように、前記環状頭部１１ａが、側端面部２厚み範囲内に収まるように位置するので、吊下げ時に、屋根パネル１，１の重心位置が、アイナット１１，１１位置よりも内側に存在し、略鉛直下方に垂下される。したがって、この際、二枚の屋根パネル１，１は、閉じたままとなって位置し、屋根パネル１，１の相対間隔を略平行に保ちながら安定させて吊下げることができる。
【００４９】
そして、建物構造体の上部まで、クレーンによって移動させて、これらの二枚の屋根パネル１，１を前記ヒンジ部材２０を回動中心として拡開すると、一側面１ａが上方へ向けて所定角度傾斜させられて、建物構造体の所望の屋根部の棟突合せ角度が得られる。
【００５０】
この際、屋根パネル１の側端面部２厚み方向の略中央部よりも、前記ヒンジ部材２０非配設側縁側１ｃ寄りに屋根パネル１，１の重心位置が、位置しているので、重心は、外側に向けて移動し易く、拡開に必要とされる力を減少させることが出来る。
【００５１】
また、このように拡開する際、前記環状頭部１１ａ，１１ａは、屋根パネル１，１の側端面部２厚み方向の略中央部よりも、前記ヒンジ部材非配設側縁側１ｃ，１ｃ寄りに位置するので、対向する屋根パネル１の側端面部２に干渉する虞が少ない。
【００５２】
次に、この実施の形態１では、図２に示すように、建物構造体の屋根部への屋根パネル１，１配設後、ボルト部材１７による前記ナット部１８ａへの螺合を解除して、前記ボルト孔１６からこのボルト部材１７を抜き取り、前記屋根パネル一側面１ａに対して略垂直方向上方へ向けて、前記側端面部２から前記アイナット１１を吊り具１０ごと取り外す。
【００５３】
この際、ボルト部材１７を抜き取ることによって、前記配設板部１４が前記側端面部２に対して取り付けられている前記ベースプレート１２を、前記屋根パネル一側面１ａに対して略垂直方向上方へ向けて、図２中白抜き矢印で示す様に、外すことが出来る。前記ボルト部材頭部１７ａは、アイボルト或はアイナット１１等の頭部１１ａに比して突出量が少ないので、外す際の干渉が少ない。従って、更に施工作業性が良好である。
【００５４】
このように、一方の屋根パネル延設方向に他方の屋根パネル１の側端面部２が近接して位置していても、干渉することなく、前記吊り具１０が取り外される。
【００５５】
従って、二枚の屋根パネル１，１の拡開角度は、所望の屋根部の配設角度を採用しても、施工性を良好なものとすることが出来るので、切妻屋根等の突合せ角度を有する屋根部の形状の設計自由度が増大する。
【００５６】
また、この実施の形態１では、配設板部１４に対して略直交して延設される取付板部１５は、前記アイナット１１が、前記屋根パネル面１ａに対して略垂直方向へ着脱可能に設けられているので、アイナット１１を取付ボルト１１ｄへの螺合から解除することにより、屋根パネル面１ａ延設方向に位置する他の屋根パネル１に干渉する虞なく、アイナット１１のみを図２中白抜き矢印方向へ同様に取り外すことも、出来る。
【００５７】
そして、この実施の形態１では、アイナット１１の頭部１１ａを把持して回転させることにより、治具を用いなくても、前記取付ボルト１１ｄへの螺合を解除して取り外すことが出来るので、更に、施工作業性が良好である。
【００５８】
また、アイナット１１及び吊下げフック等は、例えば、アイボルト及びクレーンフック等一般的なものを使用できると共に、ベースプレート１２も、例えば、金属板等を折曲して安価に形成出来る。このため、製造コストの上昇を抑制できる。
【００５９】
しかも、取り外されたアイナット１１及びベースプレート１２等は、再利用できるので、この点においても、コストを削減できる。
【００６０】
また、この実施の形態１では、前記吊り具１０に設けられた環状頭部１１ａが、屋根パネル１の側端面部２厚み範囲内に収まるように位置する。このため、吊り具１０を装着したまま、屋根パネル１…を積層して保管や輸送を行なうことが出来るので、更に、使用利便性が良好である。
【００６１】
以上、この発明の実施の形態１を図面により詳述してきたが、具体的な構成はこの実施の形態１に限らず、この発明の要旨を逸脱しない範囲の設計の変更等があってもこの発明に含まれる。
【００６２】
例えば、前記実施の形態１では、被係止部としてアイナット１１を用いているが、特にこれに限らず、例えば、アイボルト等であってもよい。
【００６３】
また、前記実施の形態１では、棟部で突き合わせられる二枚の屋根パネル１，１の施工手順を示して説明してきたが、特にこれに限らず、例えば、一枚の屋根パネル，屋根ユニット，バルコニーユニット等であっても、前記吊り具１０を用いて施工する事が出来る。
【００６４】
【発明の効果】
以上説明してきたように、この発明の請求項１記載のものによれば、吊下げフックが係止される被係止部材を着脱可能に配設するベースプレートの配設板部が、屋根パネルの側端面部に配設される。
【００６５】
該配設板部に対して略直交して延設される取付板部は、前記被係止部材が前記屋根パネル面に対して略垂直方向へ着脱可能に設けられているので、該屋根パネル面延設方向に位置する他の部材に干渉する虞なく、取り外すことが出来る。
【００６６】
また、被係止部材及び吊下げフックは、例えば、アイボルト及びクレーンフック等一般的なものを使用できると共に、ベースプレートも、例えば、金属板等から安価に形成出来る。このため、製造コストの上昇を抑制できる。
【００６７】
また、ボルト部材によって、前記配設板部が前記側端面部に対して取り付けられている前記ベースプレートを外すことが出来る。ボルト部材頭部は、アイボルト等の頭部に比して突出量が少ないので、外す際の干渉が少ない。従って更に施工作業性が良好である。
【００６８】
そして、棟部で突き合わせられる二枚の屋根パネル側縁が、ヒンジ部材で回動自在に連結されている。
【００６９】
また、該屋根パネルの側端面に取り付けられた吊り具の環状被係止部が、該側端面部厚み範囲内に収まるように位置するので、吊下げ時に、屋根パネルの重心位置が、該環状被係止部の略鉛直下方に位置して、安定させて吊下げることができる。
【００７０】
そして、これらの二枚の屋根パネルを前記ヒンジ部材を回動中心として拡開すると、建物構造体の所望の屋根部突合せ角度が得られる。この際、前記環状被係止部は、屋根パネルの側端面部厚み方向の略中央部よりも、前記ヒンジ部材非配設側縁側に位置するので、
対向する屋根パネルの側端面部に干渉する虞が少ない。  また、請求項３記載のものでは、前記ベースプレートを介して、側端面部に被係止部材を装着した屋根パネルが、前記側端面部を上位置として吊り上げられると共に、建物構造体に該屋根パネルを配設する際には、該屋根パネルの一側面が上方へ向けて所定角度傾斜させられる。
【００７１】
該屋根パネル配設後には、前記被係止部材が、前記屋根パネル一側面に対して略垂直方向上方へ向けて、前記側端面部から取り外されるので、屋根パネル延設方向に他の部材が位置していても、前記被係止部材を取り外すことが出来る。
【００７２】
取り外された被係止部材は、再利用できるので、この点においても、コストを削減できる。
【００７３】
そして、棟部で突き合わせられる二枚の屋根パネルがヒンジ部材で回動自在に連結されている。
【００７４】
該屋根パネルの突合せ側側端面部には、被係止部材が装着されていて、該被係止部をクレーン等の吊下げフックで係止して、屋根パネルを、前記側端面部を上位置として吊り上げる。
【００７５】
この際、二枚の屋根パネルは、閉じたままである。
【００７６】
建物構造体に該屋根パネルを配設する際には、該二枚の屋根パネルが、前記ヒンジ部材を回動中心として、拡開して一側面を上方へ向けて所定角度傾斜させる。  該屋根パネル配設後に、前記被係止部材が、前記屋根パネル一側面に対して略垂直方向上方へ向けて、前記側端面部から取り外される。
【００７７】
この際、一方の屋根パネル延設方向に他方の屋根パネルの側端面部が近接して位置していても、干渉することなく、前記被係止部材が取り外される。
【００７８】
従って、二枚の屋根パネルの拡開角度は、所望の屋根部の配設角度を採用しても、施工性を良好なものとすることが出来るので、切妻屋根等の突合せ角度を有する屋根部の形状の設計自由度が増大する、という実用上有益な効果を発揮する。
【図面の簡単な説明】
【図１】本発明の実施の形態１の屋根パネルの吊り具，吊り具付き屋根パネル及び該屋根パネルの施工方法で、棟合わせ部の構成を説明する断面図である。
【図２】実施の形態１の吊り具を用いた施工方法を説明する要部の断面図である。
【図３】実施の形態１の吊り具の斜視図である。
【図４】実施の形態１の吊り具を示し、図３のＡ−Ａ線に沿った位置の断面図である。
【図５】実施の形態１の吊り具の側面図である。
【図６】一従来例の屋根パネルの吊り具を示す斜視図である。
【図７】一従来例の屋根パネルの吊り具を示し、屋根パネルに用いた様子を説明する斜視図である。
【図８】一従来例の屋根パネルの吊り具を示し、屋根パネルに用いる様子を説明する正面図である。
【図９】他の従来例の屋根パネルの吊り具を示し、屋根パネルに用いて、屋根パネルを拡開した様子を説明する断面図である。
【符号の説明】
１      屋根パネル
１ａ    面
１ｂ    屋根パネル側側縁
１ｃ    非配設側側縁
２      側端面
１３    側端面フレーム
１０    吊り具
１１    アイナット（被係止部）
１１ａ  環状頭部（環状被係止部）
１１ｄ  取付ボルト
１２    ベースプレート
１４    配設板部
１５    取付板部
１７    ボルト部材
２０    ヒンジ部材
【図１】
0003865446.tif 000002
【図２】
0003865446.tif 000003
【図３】
0003865446.tif 000004
【図４】
0003865446.tif 000005
【図５】
0003865446.tif 000006
【図６】
0003865446.tif 000007
【図７】
0003865446.tif 000008
【図８】
0003865446.tif 000009
【図９】
0003865446.tif 000010